(57)【要約】【課題】  最終使用段階にあるチューブ容器の頭部内に残っている内容物を、無駄にすることなく容易に使用することができるチューブ絞り具の提供を課題とする。【解決手段】  絞り具本体は、第１の本体部材１０と第２の本体部材２０とから構成されている。本体部材２０の腕部２２，２３の端部は、本体部材１０の腕部１２，１３の端部のそれぞれに回動自在に軸支されている。本体部材１０には圧搾ローラ１４が、本体部材２０には圧搾ローラ２４が回動自在な状態で配設されている。２５は圧搾ローラ回転用レバーである。３０は、チューブの注出口が挿通可能な挿通口３１を具えたチューブ受け部である。３５は、チューブの頭部を後方から押圧する突起部である。【選択図】  図１
0003152404.tif 000002
【実用新案登録請求の範囲】
【請求項１】
円筒状の注出口と該注出口の下端部に連設され当該注出口の周辺方向に延在する肩部とからなる頭部を一端部側に有し、他端部側が閉止状態となっている変形自在なチューブ容器に収納されている内容物を絞り出すチューブ絞り具であって、
基端部と２本の腕部を有する「コ」の字形状の本体部材２個からなり、第１の前記本体部材の２本の腕部の端部のそれぞれが第２の前記本体部材の２本の腕部のそれぞれに可動自在に軸支されている絞り具本体と、
前記第１，第２の本体部材のそれぞれに配設された圧搾ローラであって、当該２つの圧搾ローラのそれぞれは前記本体部材の２本の腕部間に亘るように配設され、且つその両端部は前記２本の腕部によって回動自在に支持され、前記第１，第２の本体部材が重なるように閉じた際に前記２つの圧搾ローラの表面がその長さ方向に沿って圧着するように配設された２つの圧搾ローラと、
該２つの圧搾ローラのうちの一方の圧搾ローラの中心軸部に接続されている圧搾ローラ回転用レバーであって、前記一方の圧搾ローラの一端部側の前記本体部材の腕部の外側に配設されている圧搾ローラ回転用レバーと、
前記第１の本体部材に配設されたチューブ受け部であって、前記チューブ容器の注出口が挿通可能な挿通口と、該挿通口の周辺部分に形成され且つ前記チューブ容器の肩部が嵌合可能な凹部とを有するチューブ受け部と、
該チューブ受け部の前記挿通口および前記凹部によって形成される空間と略同じ形状で且つ当該空間内に埋没可能な大きさの先端部を有する突起部であって、前記第１，第２の本体部材が重なるように閉じた際前記チューブ受け部の前記空間内に前記先端部が埋没するように前記第２の本体部材に配設された突起部と
を具備することを特徴とするチューブ絞り具。
【考案の詳細な説明】
【技術分野】
【０００１】
本考案は、チューブ容器に収納されている内容物をチューブ容器から絞り出すチューブ絞り具に関するものである。
【背景技術】
【０００２】
従来から医薬品やその他の多くの物品が図９（ａ）に示したようなチューブ容器１に収納された状態で販売され、使用されている。
【０００３】
このような変形自在チューブ容器１は、通常、図９（ａ）に示したように、端部の一方側が閉止状態に加工されており、他方側には、円筒状の注出口２とその下端部に連設され注出口２の周辺方向に延在する肩部とからなる頭部４を具えている。
【０００４】
チューブ容器１の内容物を使用する場合、使用者は、図９（ｂ）に示したようにチューブ容器１を押して注出口２から適量の内容物を外部に注出させてこれを使用する。そして、図９（ｃ）に示したように、チューブ容器１を絞っても注出口２から内容物が出てこなくなった最終使用段階になったとき、使用者はこのチューブ容器１を廃棄して、新たなチューブ容器（図９（ａ）の状態のチューブ容器）に収納されている内容物を使用することになる。
【考案の概要】
【考案が解決しようとする課題】
【０００５】
しかしながら、図９（ｃ）のような状態になって廃棄されるチューブ容器１の頭部４の内には、まだ内容物が残っており、この頭部４内に残存している内容物を使用する場合、使用者は、チューブ容器１を切断した後、スプーン等を用いて頭部４内の内容物を掻き出すなどしなければならなかった。
【０００６】
即ち、従来は、最終使用段階にあるチューブ容器１の頭部４内の残存内容物は容易に使用することができないという問題点があった。殊に、内容物が少量で高価である医療品である場合には、この頭部４内の残存内容物の量が１ないし数回の使用量になることもあり、チューブ容器１とともにこの残存内容物を使用せずに廃棄するというこの問題点は、医療費の高騰を招く一因ともなってしまう。
【課題を解決するための手段】
【０００７】
以上の問題点を解消するために、本考案は、円筒状の注出口と該注出口の下端部に連設され当該注出口の周辺方向に延在する肩部とからなる頭部を一端部側に有し、他端部側が閉止状態となっている変形自在なチューブ容器に収納されている内容物を絞り出すチューブ絞り具であって、基端部と２本の腕部を有する「コ」の字形状の本体部材２個からなり、第１の前記本体部材の２本の腕部の端部のそれぞれが第２の前記本体部材の２本の腕部のそれぞれに可動自在に軸支されている絞り具本体と、前記第１，第２の本体部材のそれぞれに配設された圧搾ローラであって、当該２つの圧搾ローラのそれぞれは前記本体部材の２本の腕部間に亘るように配設され、且つその両端部は前記２本の腕部によって回動自在に支持され、前記第１，第２の本体部材が重なるように閉じた際に前記２つの圧搾ローラの表面がその長さ方向に沿って圧着するように配設された２つの圧搾ローラと、該２つの圧搾ローラのうちの一方の圧搾ローラの中心軸部に接続されている圧搾ローラ回転用レバーであって、前記一方の圧搾ローラの一端部側の前記本体部材の腕部の外側に配設されている圧搾ローラ回転用レバーと、前記第１の本体部材に配設されたチューブ受け部であって、前記チューブ容器の注出口が挿通可能な挿通口と、該挿通口の周辺部分に形成され且つ前記チューブ容器の肩部が嵌合可能な凹部とを有するチューブ受け部と、該チューブ受け部の前記挿通口および前記凹部によって形成される空間と略同じ形状で且つ当該空間内に埋没可能な大きさの先端部を有する突起部であって、前記第１，第２の本体部材が重なるように閉じた際前記チューブ受け部の前記空間内に前記先端部が埋没するように前記第２の本体部材に配設された突起部とを具備することを特徴とするものである。
【考案の効果】
【０００８】
本考案によれば、最終使用段階にあるチューブ容器の頭部内に残っている内容物を、無駄にすることなく容易に使用することができる。
【図面の簡単な説明】
【０００９】
【図１】本考案の実施例１の構成を示す斜視図である。
【図２】本考案の実施例１の構成を示す斜視図である。
【図３】本考案の実施例１の構成を示す斜視図である。
【図４】本考案の実施例１の構成を示す断面図である。
【図５】本考案の実施例１の動作説明図である。
【図６】本考案の実施例１の動作説明図である。
【図７】本考案の実施例１の動作説明図である。
【図８】本考案の実施例１の動作説明図である。
【図９】従来のチューブ容器の説明図である。
【考案を実施するための形態】
【００１０】
以下、図面を用いて本考案の実施例について説明する。
【実施例１】
【００１１】
図１は本考案の実施例１に係るチューブ絞り具の構成を示した斜視図であり、図２はチューブ絞り具の本体が開いた状態を示した斜視図、図３はチューブ絞り具の本体が閉じた状態を示す斜視図、図４はチューブ絞り具の本体が閉じた状態での内部構成を示す断面図である。
【００１２】
図１ないし図４に示したように、本実施例１に係るチューブ絞り具の本体は、「コ」の字状の形状をした第１の本体部材１０と第２の本体部材２０とによって構成されている。
【００１３】
図１に示したように、本体部材１０は基端部１１と２本の腕部１２，１３によって構成されており、本体部材２０は基端部２１と２本の腕部２２，２３によって構成されている。
【００１４】
腕部２２の端部は腕部１２の端部に回動自在に軸支されており、腕部２３の端部は腕部１３の端部に回動自在に軸支されている。
【００１５】
１４は圧搾ローラであり、腕部１２，１３間に亘るように配設されており、その両端部は腕部１２と腕部１３とによって回動自在に支持されている。本体部材２０の腕部２２，２３間にも同様の構成の圧搾ローラ２４が配設されている。
【００１６】
２５は、圧搾ローラ２４の中心軸部に接続されている圧搾ローラ回転用レバーであって、この圧搾ローラ回転用レバー２５は腕部２３の外側に位置するように配設されている。
【００１７】
圧搾ローラ１４と圧搾ローラ２４とは、図３に示したような本体部材１０，２０が重なるように閉じた状態においては、互いの表面がその長さ方向に沿って圧着するようにそれぞれ本体部材１０，２０に配設されている（図４参照）。
【００１８】
３０は、本体部材１０に配設されたチューブ受け部であり、使用対象に予定されているチューブ容器の円筒状の注出口が挿通可能な挿通口３１と、この挿通口３１の周辺部分に形成された凹部であって使用対象に予定されているチューブ容器の肩部が嵌合できる形状に形成されている凹部３２とを具えている。
【００１９】
３５は突起部であり、この突起部３５の先端部は、チューブ受け部３０の挿通口３１および凹部３２によって形成される空間と略同じ形状で且つその空間に埋没可能となるような大きさに形成されており、図３，図４に示したような本体部材１０，２０が重なるように閉じた状態においては、この突起部３５の先端部が、チューブ受け部３０の挿通口３１および凹部３２によって形成される空間内に埋没可能となるように本体部材２０に配設されている。
【００２０】
なお、本実施例１においては、チューブ受け部３０と同様の構成で大きさの異なるチューブ受け部４０が本体部材１０に配設されており、突起部３５と同様の構成で大きさの異なる突起部４５が本体部材２０に配設されている。ここで、４１は挿通口、４２は凹部である。
【００２１】
以上のように構成された本実施例においては、図５に示したように、チューブ容器１を圧搾ローラ１４，２４間に挟んで本体部材１０，２０を閉じた状態にして、圧搾ローラ回転用レバー２５を回転させれば、チューブ容器１内の内容物を、図６に示したようなチューブ容器１の最終使用段階に至るまで容易に搾り出すことができる。
【００２２】
そして、図６に示したチューブ容器１の最終使用段階に至ったときには、本体部材１０，２０を開いてチューブ容器１を圧搾ローラ１４，２４間から外し、チューブ容器の頭部４の注出口２をチューブ受け部３０の挿通口３１に差し込んで、再び本体部材１０，２０を図７に示したように閉じれば、図８に示したようにチューブ容器１の頭部４内に残在している内容物は突起部３５に押されるので、注出口２から容易に外部に取り出すことができる。
【符号の説明】
【００２３】
１  チューブ容器
２  注出口
３  肩部
４  頭部
１０，２０  本体部材
１１，２１  基端部
１２，１３，２２，２３  腕部
１４，２４  圧搾ローラ
２５  圧搾ローラ回転用レバー
３０，４０  チューブ受け部
３１，４１  挿通口
３２，４２  凹部
３５，４５  突起部
【図１】
0003152404.tif 000003
【図２】
0003152404.tif 000004
【図３】
0003152404.tif 000005
【図４】
0003152404.tif 000006
【図５】
0003152404.tif 000007
【図６】
0003152404.tif 000008
【図７】
0003152404.tif 000009
【図８】
0003152404.tif 000010
【図９】
0003152404.tif 000011